(57)【要約】【課題】出金される貨幣の金種を制御することによって貨幣の補充回数を低減させることができる貨処理装置を提供する。【解決手段】本発明に係る実施形態に従った貨幣処理装置は、貨幣を金種ごとに収納し、収納する貨幣を繰り出す複数の収納庫と、収納庫に収納されている貨幣を出金する出金部と、収納庫に収納された貨幣の金種ごとの収納量と、各金種の収納枚数に関する基準値とを記憶する記憶部と、出金部から出金される貨幣の金種と枚数とを制御する制御部とを備え、記憶部は、基準値として金種毎の貨幣量である基準量を複数セット記憶し、あるいは、基準値として金種毎の貨幣量の比率である基準比率を記憶し、或る金額の貨幣を出金する際に、制御部は、金種ごとの収納量または在高比率が基準値に対して多い金種を優先して、出金される貨幣の金種とその枚数とを決定して出金する。【選択図】図６
2013011959.tif 000002
【特許請求の範囲】
【請求項１】
貨幣を金種ごとに収納し、収納する貨幣を繰り出す複数の収納庫と、
前記収納庫に収納されている貨幣を出金する出金部と、
前記収納庫に収納された貨幣の金種ごとの収納量と、各金種の収納枚数に関する基準値とを記憶する記憶部と、
前記出金部から出金される貨幣の金種と枚数とを制御する制御部とを備え、
前記記憶部は、前記基準値として金種毎の貨幣量である基準量を複数セット記憶し、あるいは、前記基準値として金種毎の貨幣量の比率である基準比率を記憶し、
或る金額の貨幣を出金する際に、前記制御部は、前記金種ごとの収納量または在高比率が前記基準値に対して多い金種を優先して、出金される貨幣の金種とその枚数とを決定して出金することを特徴とする貨幣処理装置。
【請求項２】
前記記憶部は、前記基準値として最初に用いる第１の基準量と、前記収納部に収納された貨幣の量が減少したときに用いる第２の基準量とを少なくとも記憶し、
或る金額の貨幣を出金する際に、前記収納庫に収納された貨幣のうち第１金種の貨幣量が前記基準量に達し、前記第１金種よりも金額の小さな下位金種の貨幣量が前記基準量より多い場合に、前記制御部は、前記下位金種を優先して、出金される貨幣の金種とその枚数とを決定して出金し、
前記収納庫に収納されている貨幣量が所定の条件を満たしたとき、前記制御部は、前記基準値を第１の基準値から第２の基準値に変更することを特徴とする請求項１に記載の貨幣処理装置。
【請求項３】
前記記憶部は、前記基準量および前記基準比率を記憶しており、
或る金額の貨幣を出金する際に、前記収納庫に収納された貨幣のうち第１金種の貨幣量が前記基準量に達し、前記第１金種よりも金額の小さな下位金種の貨幣量が前記基準量より多い場合に、前記制御部は、前記下位金種を優先して、出金される貨幣の金種とその枚数とを決定して出金し、
前記収納庫に収納されている貨幣量が所定の条件を満たしたとき、前記制御部は、出金前あるいは出金後の前記収納庫に収納された複数の金種の貨幣量に対する各金種の貨幣量の比率である在高比率と前記基準比率を比較し、前記在高比率が前記基準比率に近くなることを条件として、出金する金種とその枚数を決定して出金することを特徴とする請求項１に記載の貨幣処理装置。
【請求項４】
或る金額の貨幣を出金する際に、前記収納庫に収納された貨幣のうち第１金種の貨幣量が前記基準量以上または前記基準比率以上である場合に、前記制御部は、出金される貨幣の枚数が最小となるように、出金される貨幣の金種とその枚数とを決定することを特徴とする請求項２または請求項３に記載の貨幣処理装置。
【請求項５】
或る金額の貨幣を出金する際に、前記制御部は、前記収納庫に収納された複数の金種の貨幣量に対する各金種の貨幣量の比率である在高比率と前記基準比率を比較し、前記在高比率が前記基準比率に近くなることを条件として、出金する貨幣の金種とその枚数を決定して出金することを特徴とする請求項１に記載の貨幣処理装置。
【請求項６】
或る金額の貨幣を出金する際に、前記制御部は、出金前の各金種の前記在高比率から各金種の前記基準比率を減算し、その減算結果の最も大きい金種を優先的に用いて出金することを特徴とする請求項５に記載の貨幣処理装置。
【請求項７】
或る金額の貨幣を出金する際に、前記制御部は、出金される貨幣の金種の組み合わせを示す複数の金種パターンを準備し、各前記金種パターンで出金した場合の出金後の各金種の前記在高比率と前記基準比率を比較し、前記在高比率が前記基準比率に最も近くなるように金種パターンを選択し、該選択された金種パターンに基づいて出金する金種とその枚数を決定して出金することを特徴とする請求項５に記載の貨幣処理装置。
【発明の詳細な説明】
【技術分野】
【０００１】
本発明は、貨幣処理装置に係わり、例えば、店舗内での精算において貨幣の受け渡しを行い、その貨幣を収納する貨幣処理装置に関する。
【背景技術】
【０００２】
従来から店舗のチェックアウトカウンターにおいて店員が客との貨幣の受け渡し業務を行うために貨幣処理装置が使用されている。貨幣処理装置は、投入された貨幣を識別・計数して金額を算出した上で、収納すると共に、収納されている貨幣を釣銭として払い出す機能を有している。
【０００３】
このような貨幣処理装置において貨幣を釣銭として払い出す場合、通常、貨幣処理装置は、釣銭の枚数が最小となるように金種を決定し、その金種で釣銭を払い出す。つまり、通常、貨幣処理装置は、釣銭を最小構成枚数の貨幣で払い出すように構成されている。
【先行技術文献】
【特許文献】
【０００４】
【特許文献１】特開２００８−１９８１３１号公報
【発明の開示】
【発明が解決しようとする課題】
【０００５】
しかし、最小構成枚数の貨幣で釣銭を構成するためには、釣銭を出金貨幣の金額の範囲内においてできるだけ高額金種の貨幣で構成する必要がある。従って、釣銭を最小構成枚数の貨幣で払い出していくと、貨幣処理装置内の特定金種の貨幣が多く用いられる。この場合、貨幣処理装置内において、その特定金種の貨幣の減少が早くなり、その特定金種の貨幣の補充を頻繁に行う必要が生じることになる。他の金種の貨幣の補充は不要であるにも関わらず、特定金種の貨幣のために補充を実行しなければならないことは、非効率的であり、かつ、不経済である。
【０００６】
そこで、本発明は、上述の問題に鑑みてなされたものであり、出金される貨幣の金種を制御することによって貨幣の補充回数を低減させることができる貨処理装置を提供することを目的とする。
【課題を解決するための手段】
【０００７】
本発明による実施形態に従った貨幣処理装置は、貨幣を金種ごとに収納し、収納する貨幣を繰り出す複数の収納庫と、前記収納庫に収納されている貨幣を出金する出金部と、前記収納庫に収納された貨幣の金種ごとの収納量と、各金種の収納枚数に関する基準値とを記憶する記憶部と、前記出金部から出金される貨幣の金種と枚数とを制御する制御部とを備え、前記記憶部は、前記基準値として金種毎の貨幣量である基準量を複数セット記憶し、あるいは、前記基準値として金種毎の貨幣量の比率である基準比率を記憶し、或る金額の貨幣を出金する際に、前記制御部は、前記金種ごとの収納量または在高比率が前記基準値に対して多い金種を優先して、出金される貨幣の金種とその枚数とを決定して出金することを特徴とする。
【０００８】
前記記憶部は、前記基準値として最初に用いる第１の基準量と、前記収納部に収納された貨幣の量が減少したときに用いる第２の基準量とを少なくとも記憶し、
或る金額の貨幣を出金する際に、前記収納庫に収納された貨幣のうち第１金種の貨幣量が前記基準量に達し、前記第１金種よりも金額の小さな下位金種の貨幣量が前記基準量より多い場合に、前記制御部は、前記下位金種を優先して、出金される貨幣の金種とその枚数とを決定して出金し、
前記収納庫に収納されている貨幣量が所定の条件を満たしたとき、前記制御部は、前記基準値を第１の基準値から第２の基準値に変更してもよい。
【０００９】
前記記憶部は、前記基準量および前記基準比率を記憶しており、
或る金額の貨幣を出金する際に、前記収納庫に収納された貨幣のうち第１金種の貨幣量が前記基準量に達し、前記第１金種よりも金額の小さな下位金種の貨幣量が前記基準量より多い場合に、前記制御部は、前記下位金種を優先して、出金される貨幣の金種とその枚数とを決定して出金し、
前記収納庫に収納されている貨幣量が所定の条件を満たしたとき、前記制御部は、出金前あるいは出金後の前記収納庫に収納された複数の金種の貨幣量に対する各金種の貨幣量の比率である在高比率と前記基準比率を比較し、前記在高比率が前記基準比率に近くなることを条件として、出金する金種とその枚数を決定して出金してもよい。
【００１０】
或る金額の貨幣を出金する際に、前記収納庫に収納された貨幣のうち第１金種の貨幣量が前記基準量以上または前記基準比率以上である場合に、前記制御部は、出金される貨幣の枚数が最小となるように、出金される貨幣の金種とその枚数とを決定してもよい。
【００１１】
或る金額の貨幣を出金する際に、前記制御部は、前記収納庫に収納された複数の金種の貨幣量に対する各金種の貨幣量の比率である在高比率と前記基準比率を比較し、前記在高比率が前記基準比率に近くなることを条件として、出金する貨幣の金種とその枚数を決定して出金してもよい。
【００１２】
或る金額の貨幣を出金する際に、前記制御部は、出金前の各金種の前記在高比率から各金種の前記基準比率を減算し、その減算結果の最も大きい金種を優先的に用いて出金してもよい。
【００１３】
或る金額の貨幣を出金する際に、前記制御部は、出金される貨幣の金種の組み合わせを示す複数の金種パターンを準備し、各前記金種パターンで出金した場合の出金後の各金種の前記在高比率と前記基準比率を比較し、前記在高比率が前記基準比率に最も近くなるように金種パターンを選択し、該選択された金種パターンに基づいて出金する金種とその枚数を決定して出金してもよい。
【発明の効果】
【００１４】
本発明による貨幣処理装置は、出金される貨幣の金種を制御することによって貨幣の補充回数を低減させることができる。
【図面の簡単な説明】
【００１５】
【図１】第１の実施形態に従った貨幣管理システム１の構成例を示すブロック図。
【図２】貨幣精算装置１１の一例を示す外観を示す図。
【図３】貨幣精算装置１１の構成例を示すブロック図。
【図４】出金貨幣が最小構成枚数となるように金種パターンを決定する方法を示すフロー図。
【図５】出金貨幣の金種パターンを基準量に基づいて決定する方法を示すフロー図。
【図６】第１の実施形態による貨幣精算装置１１の収納部１５０に収納されている貨幣の収納量の変化を示す概念図。
【図７】第１の実施形態による貨幣精算装置１１の出金動作を示すフロー図。
【図８】各金種に対する設定値および実際の収納量の一例を示す表。
【図９】第２の実施形態に従った基準比率に基づく出金動作を示すフロー図。
【図１０】基準比率に基づく出金動作をさらに詳細に説明する図。
【図１１】第２の実施形態の変形例に従った複数の出金パターンの一例を示す表。
【図１２】第２の実施形態の変形例に従った基準比率に基づく出金動作を示すフロー図。
【図１３】第３の実施形態に従った出金動作を示すフロー図。
【発明を実施するための最良の形態】
【００１６】
以下、図面を参照して本発明による実施形態を説明する。本実施形態は、本発明を限定するものではない。
【００１７】
（第１の実施形態）
図１は、本発明に係る第１の実施形態に従った貨幣管理システム１の構成例を示すブロック図である。貨幣管理システム１は、店員が顧客から受け取った貨幣、および、店員が顧客へ支払う貨幣を処理および管理するシステムである。
【００１８】
貨幣管理システム１は、店舗内のチェックアウトエリアに設けられており、店員が顧客との間でやりとりした貨幣を入出金するチェックアウトカウンター１０と、チェックアウトカウンター１０の貨幣および商品を管理するバックオフィス２０とから構成されている。
【００１９】
チェックアウトカウンター１０には、貨幣を入金および出金することにより顧客との精算処理を行う単数または複数の貨幣精算装置１１が設けられている。図１では、チェックアウトカウンター１０には、３つの貨幣精算装置１１が設けられている。貨幣処理装置としての貨幣精算装置１１は、店員または顧客自らによって操作され、店員と顧客との間の精算処理に用いられる。例えば、貨幣精算装置１１は、顧客が支払った代金を入金し、あるいは、顧客へ支払う釣銭を出金する。
【００２０】
貨幣精算装置１１は、例えば、店員によって操作されるＰＯＳレジスタ１５または顧客によって操作されるセルフチェックアウト用レジスタ（図示せず）と通信可能に接続されている。貨幣精算装置１１は、ＰＯＳレジスタまたはセルフチェックアウト用レジスタと一体に構成されていてもよい。
【００２１】
バックオフィス２０には、貨幣出納装置２１と、貨幣管理装置２５と、ＰＯＳ管理装置２６が設けられている。貨幣出納装置２１は、貨幣精算装置１１と通信可能に接続されており、例えば、貨幣精算装置１１へ装填するための釣銭準備金を出金し、あるいは、貨幣精算装置１１から回収した売上金を入金する。貨幣管理装置２５は、ＬＡＮ（Local Area Network）等を介して貨幣精算装置１１および貨幣出納装置２１と通信可能に接続されている。貨幣管理装置２５は、貨幣精算装置１１および貨幣出納装置２１に収納されている貨幣を管理する。例えば、貨幣管理装置２５は、貨幣精算装置１１のそれぞれにおいて精算処理された貨幣、並びに、貨幣精算装置１１と貨幣出納装置２１との間で授受された貨幣を管理する。ＰＯＳ管理装置２６は商品の流れを管理する。尚、商品の流れについては本発明と直接関連しないので、ここではＰＯＳ管理装置２６に関する詳細な説明を省略する。
【００２２】
［貨幣精算装置１１の構成］
各貨幣精算装置１１は、硬貨を入金および出金することにより精算処理を行う硬貨精算装置１３と、紙幣を入金および出金することにより精算処理を行う紙幣精算装置１２とを含む。
【００２３】
以下、紙幣精算装置１２の構成要素と硬貨精算装置１３の構成要素とを区別するために、紙幣精算装置１２の構成要素の参照番号に“ａ”を付し、硬貨精算装置１３の構成要素の参照番号に“ｂ”を付す。尚、硬貨精算装置１３および紙幣精算装置１２は、取り扱う対象が硬貨と紙幣とでそれぞれ異なるので具体的構成については相違するものの、図３に示す基本的なブロック構成については同様でよい。
【００２４】
図２は、各貨幣精算装置１１の一例を示す外観を示す図である。貨幣精算装置１１は、紙幣精算装置１２および硬貨精算装置１３を備える。紙幣精算装置１２は、筐体１００ａと、入金部１１０ａと、出金部１２０ａとを備えている。入金部１１０ａは、顧客から受け取った紙幣を投入するために設けられている。出金部１２０ａは、釣銭紙幣を投出するために設けられている。
【００２５】
硬貨精算装置１３は、筐体１００ｂと、入金部１１０ｂと、出金部１２０ｂとを備えている。入金部１１０ｂは、顧客から受け取った硬貨を投入するために設けられている。出金部１２０ｂは、釣銭硬貨を投出するために設けられている。
【００２６】
図３は、貨幣精算装置１１の構成例を示すブロック図である。貨幣精算装置１１は、入金部１１０および出金部１２０のほか、搬送部１３０と、識別部１４０と、収納部１５０と、メモリ１７０と、通信部１８０と、制御部１９０とをさらに備えている。
【００２７】
搬送部１３０は、入金部１１０に投入された貨幣を収納部１５０へ搬送し、あるいは、出金部１２０から投出する貨幣を収納部１５０から搬送するように構成されている。
【００２８】
識別部１４０は、搬送部１３０によって搬送されている貨幣の金種、真偽、正損、新旧、数量等を検知するように構成されている。例えば、識別部１４０は、イメージセンサまたは磁気センサ等のセンサを備えている。
【００２９】
収納部１５０は、識別部１４０において識別された貨幣を金種ごとに収納することができるように構成されている。収納部１５０は、紙幣を収納する場合、各紙幣を金種ごとに積み重ねて収納するスタック式収納部でもよく、あるいは、各紙幣を金種ごとに複数のテープ間に挟み込んだ状態で該テープを紙幣とともに巻き取る複数のテープリール式収納部であってもよい。
【００３０】
メモリ１７０は、貨幣精算装置１１を制御する各種プログラムおよびデータを格納するＲＯＭ（Read Only Memory）またはＨＤＤ(Hard Disk Drive)、および、プログラムのロード領域やプログラム実行時における作業領域となるＲＡＭ(Random Access Memory)等を含む。メモリ１７０は、収納部１５０に収納されている貨幣の金種ごとの収納量（在高）も記憶している。また、メモリ１７０は、入出金され、識別部１４０で識別された貨幣の数量を金種ごとに記憶する。
【００３１】
さらに、メモリ１７０は、収納部１５０における収納枚数に関する基準値を各金種ごとに記憶する。基準値は、金種毎の貨幣量である基準量、または、金種毎の貨幣量の比率である基準比率である。
【００３２】
基準量は、収納部１５０に収納された各金種に対応する貨幣量の基準であり、金種ごとに設定される。基準値として基準量を用いる場合、釣銭として出金される貨幣の金種の組み合わせ（以下、金種パターンとも言う）は、収納部１５０に収納された各金種の貨幣の収納量と各金種の基準量との比較に基づいて決定される。例えば、貨幣精算装置１１は、収納部１５０に実際に収納されている貨幣の収納量が基準量に対して多い金種を優先して、出金される貨幣の金種とその枚数とを決定する。
【００３３】
基準比率は、複数の金種の貨幣量に対する或る金種の貨幣量の比率（収納率）の基準であり、金種ごとに設定される。基準比率は、収納部１５０に収納された各金種の貨幣の収納率の目標値と言ってもよい。基準値として基準比率を用いる場合、釣銭として出金される貨幣の金種パターンは、各金種の収納率と各金種の基準比率との比較に基づいて決定される。例えば、貨幣精算装置１１は、各金種の収納率が基準比率に対して大きい金種を優先して、出金される貨幣の金種とその枚数とを決定する。
【００３４】
通信部１８０は、貨幣処理システム１を構成する他の装置（貨幣出納装置２１、貨幣管理装置２５、ＰＯＳ管理装置２６）と通信可能に接続されている。
【００３５】
制御部１９０は、メモリ１７０内のプログラムを実行して貨幣精算装置１１の全体を制御するように構成された演算処理装置である。制御部１９０は、出金部１２０ａ、１２０ｂから出金される貨幣の金種と枚数とを制御する。例えば、或る金額の貨幣を出金する際に、制御部１９０は、金種ごとの収納量または収納率が上記基準値に対して多い金種を優先して、出金される貨幣の金種とその枚数とを決定する。
【００３６】
以下、出金される貨幣の金種パターンの決定方法を詳細に説明する。
【００３７】
（最小構成枚数による出金）
図４は、出金される貨幣が最小構成枚数となるように金種パターンを決定する方法を示すフロー図である。貨幣精算装置１１の制御部１９０は、出金貨幣の枚数が最小となるように金種パターンを決定する。即ち、制御部１９０は、出金貨幣が最小構成枚数となるように、金額の大きな金種を優先的に用いて金種パターンを構成する。例えば、６８ユーロを出金する場合、制御部１９０は、５０ユーロ紙幣、１０ユーロ紙幣、５ユーロ紙幣、２ユーロ硬貨および１ユーロ硬貨を各１枚ずつ出金するように金種パターンを構成する。これにより、出金貨幣は、最小構成枚数（５枚）となる。
【００３８】
より詳細には、制御部１９０は、出金貨幣の金額（例えば、６８ユーロ）よりも金額の小さい金種の中で最も金額の大きな金種（例えば、５０ユーロ紙幣）を選択し、その金種の貨幣を１枚出金することを決定する（Ｓ１０）。勿論、このとき選択される金種は、出金可能な金種に限定される。例えば、ユーロの中で最も高額な金種（５００ユーロ）は、釣銭として出金されることはないので、ここでは選択されることはない。また、収納部１５０内に収納されていない金種は選択されない。
【００３９】
次に、制御部１９０は、出金貨幣の金額（例えば、６８ユーロ）から、ステップＳ１０で出金が決定された貨幣の金額（例えば、５０ユーロ）を減算する（Ｓ２０）。次に、制御部１９０は、その減算結果（例えば、１８ユーロ）を出金貨幣の金額に代入して（Ｓ３０）、ステップＳ１０、Ｓ２０を繰り返す。制御部１９０は、減算結果がゼロになるまでステップＳ１０、Ｓ２０を繰り返す。これにより、貨幣精算装置１１は、最小構成枚数で構成された貨幣を出金することができる。
【００４０】
上記具体例では、貨幣精算装置１１は、最初のステップＳ１０、Ｓ２０の実行によって５０ユーロ紙幣を１枚出金することを決定し、次のステップＳ１０、Ｓ２０の実行ことによって１０ユーロ紙幣を１枚出金することを決定し、次のステップＳ１０、Ｓ２０の実行によって５ユーロ紙幣を１枚出金することを決定し、次のステップＳ１０、Ｓ２０の実行によって２ユーロ硬貨を１枚出金することを決定し、次のステップＳ１０、Ｓ２０の実行によって１ユーロ硬貨を１枚出金することを決定する。これで、貨幣精算装置１１は、６８ユーロを最小構成枚数（５枚）の貨幣で出金することができる。
【００４１】
尚、上記ステップＳ１０、Ｓ２０の繰り返しにおいて、制御部１９０は、同一金種を複数回選択することもある。この場合、貨幣精算装置１１は、同一金種の貨幣を、その金種の選択回数と同数だけ出金する。
【００４２】
（基準量に基づく出金）
図５は、出金貨幣の金種パターンを基準量に基づいて決定する方法を示すフロー図である。この場合、制御部１９０は、収納部１５０に収納されている貨幣の金種ごとの収納量が基準量に対して多い金種を優先して選択し、出金貨幣の金種とその枚数とを決定する。ただし、本実施形態では、収納量は、出金貨幣の金額よりも金額の小さい金種の中で最も金額の大きな第１金種と第１金種よりも金額の小さな第２および第３金種（下位２金種）とを含む３つの金種の間で比較される。即ち、制御部１９０は、収納部１５０に収納されている貨幣の収納量のうち、第１金種の収納量と、第１金種の次に金額の小さな第２金種の収納量と、第２金種の次に金額の小さな第３金種の収納量とを比較する（Ｓ１００）。
【００４３】
例えば、６８ユーロを出金する場合、６８ユーロよりも金額の小さい金種の中で最も金額の大きな５０ユーロ紙幣が第１金種となる。そして、収納量は、第１金種としての５０ユーロ紙幣と５０ユーロ紙幣よりも金額の小さな２０ユーロ紙幣および１０ユーロ紙幣とを含む３つの金種（即ち、５０ユーロ紙幣、２０ユーロ紙幣および１０ユーロ紙幣）の間で比較される。制御部１９０は、収納量が基準量に対して最も大きい金種を選択し、その金種の貨幣を１枚出金することを決定する（Ｓ１１０）。例えば、収納部１５０に収納された１０ユーロ紙幣の収納量が１１０枚であり、２０ユーロ紙幣の収納量が１２０枚であり、５０ユーロ紙幣の収納量が１００枚である場合、２０ユーロ紙幣の収納量が、基準量に対して最も大きい。従って、制御部１９０は、２０ユーロ紙幣を１枚選択し、２０ユーロ紙幣を１枚出金することを決定する。
【００４４】
次に、制御部１９０は、出金貨幣の金額（例えば、６８ユーロ）から、出金を決定した貨幣の金額（例えば、２０ユーロ）を減算する（Ｓ１２０）。また、制御部１９０は、ステップＳ１２０において出金が決定された貨幣の収納量を１枚減少させる（Ｓ１３０）。例えば、２０ユーロ紙幣が１枚出金されることが決定されると、制御部１９０は、２０ユーロ紙幣の収納量を１枚減らす。即ち、２０ユーロ紙幣の収納量は、１１９枚となる。
【００４５】
次に、制御部１９０は、ステップ１２０における減算結果（例えば、４８ユーロ）を出金貨幣の金額に代入して（Ｓ１４０）、ステップＳ１００からＳ１２０を繰り返す。より詳細には、制御部１９０は、減算結果（例えば、４８ユーロ）を出金貨幣の金額に代入してステップＳ１１０からＳ１３０を繰り返す。このとき、制御部１９０は、出金貨幣の金額（例えば、４８ユーロ）よりも金額の小さい金種の中で最も金額の大きな金種（例えば、２０ユーロ紙幣）が第１金種となる。そして、収納量は、第１金種としての２０ユーロ紙幣と、第２金種としての１０ユーロ紙幣と、第３金種としての５ユーロ紙幣との間で比較される。そして、制御部１９０は、その３つの金種のうち収納量が基準量に対して最も多い金種を選択し、その金種の紙幣を１枚出金することを決定する（Ｓ１１０）。ここでは、制御部１９０は、２０ユーロ紙幣を再度選択し、２０ユーロ紙幣を１枚出金することを決定する。
【００４６】
次に、制御部１９０は、出金貨幣の金額（例えば、４８ユーロ）から、出金を決定した貨幣の金額（例えば、２０ユーロ）を減算する（Ｓ１２０）。また、制御部１９０は、ステップＳ１２０において出金が決定された２０ユーロ紙幣の収納量を１枚減少させる（Ｓ１３０）。即ち、２０ユーロ紙幣の収納量は、１１８枚となる。
【００４７】
次に、制御部１９０は、ステップ１２０における減算結果（例えば、２８ユーロ）を出金貨幣の金額に代入して（Ｓ１４０）、再度、ステップＳ１００〜Ｓ１３０を繰り返す。
【００４８】
制御部１９０は、ステップＳ１２０における減算結果がゼロになるまで上記ステップを繰り返す。これにより、貨幣精算装置１１は、各金種の貨幣の収納量を基準量に近づけるように出金される貨幣の金種を決定することができる。
【００４９】
このような出金動作を繰り返していくと、各金種の収納量が減少し、基準量（例えば、１００枚）にまで達する。この場合、例えば、制御部１９０は、収納部１５０に収納されている貨幣のうち１つの金種の貨幣量が基準量に達した場合に基準量を変更する。あるいは、制御部１９０は、収納部１５０に収納されている貨幣のうち複数の金種の貨幣量が基準量に達した場合に基準量を変更する。この場合、制御部１９０は、ステップＳ１００で選択された３つの金種の貨幣量が基準量に達した場合に基準量を変更してもよい。
【００５０】
基準量を変更する場合、制御部１９０は、出金動作の最初に用いていた第１の基準量よりも小さな第２の基準量を基準量として用いる。第１および第２の基準量は、それぞれ出金動作の最初に用いる基準量、および、収納部１５０に収納された貨幣の量が減少したときに用いる基準量としてメモリ１７０に予め格納されている。
【００５１】
上記例では各金種の基準量は同一であったが、基準量は金種ごとに異なってよい。各金種の基準量が同一である場合には、制御部１９０は、ステップＳ１００において単に各金種の収納量を比較してもよく、収納量と基準量との比較は必ずしも必要ではない。しかし、金種によって基準量が異なる場合には、制御部１９０は、ステップＳ１００において収納量と基準量とを比較する必要がある。また、上記例では、制御部１９０は第１金種およびその下位２金種の各収納量を比較した。しかし、制御部１９０は、第１金種およびその下位１金種の各収納量を比較してもよく、あるいは、第１金種およびその下位３金種以上の各収納量を比較してもよい。
【００５２】
図６（Ａ）から図６（Ｆ）は、第１の実施形態による貨幣精算装置１１の収納部１５０に収納されている貨幣の収納量の変化を示す概念図である。図７は、第１の実施形態による貨幣精算装置１１の出金動作を示すフロー図である。
【００５３】
例えば、店舗の営業の開始当初、図６（Ａ）に示すように、いずれの金種の収納量も第１の基準量よりも多い。このとき、制御部１９０は、図４に示した、最小構成枚数による出金動作を実行する。これにより、貨幣精算装置１１は、最小構成枚数で構成された貨幣を出金する（Ｓ２００）。
【００５４】
最小構成枚数による出金動作を継続していくと、或る金種の収納量が減少する。その金種の収納量が第１の基準量に達した場合、制御部１９０は、図５に示した、基準量に基づく出金動作を実行する（Ｓ２１０）。例えば、図６（Ｂ）に示すように、５０ユーロ紙幣および５ユーロ紙幣の各収納量が第１の基準量に達したと仮定する。この場合、貨幣精算装置１１は、第１金種としての５０ユーロ紙幣に代えて、第１金種より金額の小さい２０ユーロ紙幣または１０ユーロ紙幣を用いて出金する。また、貨幣精算装置１１は、第１金種としての５ユーロ紙幣に代えて、第１金種より金額の小さい２ユーロ硬貨または１ユーロ硬貨を用いて出金する。これにより、貨幣精算装置１１は、５０ユーロ紙幣および５ユーロ紙幣の収納量の減少を抑制することができ、各金種の収納量を各金種に対応する第１の基準量に接近させることができる。つまり、貨幣精算装置１１は、基準量に基づく出金動作を実行することにより、特定の金種の収納量が基準量から大きく乖離したり、極端に減少したりすることを抑制することができる。これにより、貨幣精算装置１１は、各金種の収納量を制御しながら出金動作を行うので、貨幣精算装置１１への貨幣の補充回数を減らすことができる。
【００５５】
次に、貨幣の収納量が所定の条件を満たしたとき、制御部１９０は、第１の基準量を第１の基準量よりも低い第２の基準量に変更する（Ｓ２２０）。所定の条件とは、収納部１５０に格納された貨幣の金種のうち所定数の金種の収納量が第１の基準量に達した場合、あるいは、或る金種の収納量が各金種のニアエンプティの収納量に達した場合が考えられる。例えば、図６（Ｃ）に示すように、収納部１５０に格納された貨幣の金種のうち３つの金種（５０ユーロ紙幣、２０ユーロ紙幣および５ユーロ紙幣）の収納量が第１の基準量に達したときに、制御部１９０は、図６（Ｄ）に示すように、第１の基準量を第２の基準量に変更する。
【００５６】
その後、制御部１９０は、最小構成枚数による出金動作（図４）または第２の基準量に基づいた出金動作（図５）を実行する。このとき、制御部１９０は、ステップＳ２００へ戻り、最小構成枚数による出金動作（図４）を実行してもよく、あるいは、ステップＳ２１０へ戻り、第２の基準量に基づいた出金動作（図５）を実行してもよい。
【００５７】
第２の基準量よりも低い第３の基準量がメモリ１７０に格納されている場合、制御部１９０は、例えば、収納部１５０に格納された貨幣の金種のうち３つの金種の収納量が第２の基準量に達したときに、第２の基準量を第３の基準量に変更してもよい。さらに、上記所定の条件が成り立つごとに、制御部１９０は、第４の基準量以降の基準量を用いて出金動作を実行してもよい。
【００５８】
その後、図６（Ｅ）に示すように、基準量がニアエンプティと等しくなると（Ｓ２３０のＹＥＳ）、その後、制御部１９０は、基準量をそれ以上下げる必要がない。そして、最小構成枚数による出金動作（ステップＳ２００）および基準量に基づく出金動作（ステップＳ２１０）を実行した後、収納部１５０に格納された貨幣の金種のうち所定数の金種（例えば、３つの金種）の収納量がニアエンプティに達すると、制御部１９０は、基準量に基づく出金動作（ステップＳ２１０）を継続し、あるいは、最小構成枚数による出金動作（ステップＳ２００）を実行する（Ｓ２４０）。さらに、制御部１９０は、後述する基準比率に基づく出金動作を実行してもよい。尚、ニアエンプティは、収納部１５０内の或る金種の収納量がゼロに近いことを示し、ニアエンプティの収納量は予め設定されメモリ１７０に格納されている。従って、基準量がニアエンプティと等しくなった場合、または、所定数の金種の収納量がニアエンプティに達した場合に、店舗の店員は、貨幣の補充を警送会社等に依頼すればよい。
【００５９】
このように、本実施形態によれば、収納部１５０に収納された貨幣のうち第１金種の収納量が基準量に達し、第１金種よりも下位の金種の収納量が基準量以上である場合に、制御部１９０は、下位金種を優先して、出金貨幣の金種とその枚数とを決定する。これにより、貨幣精算装置１１は、各金種の収納量を基準量から乖離しないように出金貨幣の金種を制御することができる。
【００６０】
さらに、収納部１５０に収納されている貨幣量が上記所定の条件を満たしたとき、制御部１９０は、基準量を変更する。このようにして、貨幣精算装置１１は、基準量を変更しながらニアエンプティまで各金種の収納量を基準量に近づけるように制御することができる。これにより、貨幣精算装置１１は、貨幣の補充回数を低減させることができる。
【００６１】
（第２の実施形態）
第２の実施形態では、制御部１９０は、出金前および出金後における在高比率と基準比率とを比較し、出金後に在高比率が基準比率に近くなることを条件として、出金する貨幣の金種とその枚数を決定する。
【００６２】
在高比率は、収納部１５０に収納された複数の金種の収納量に対する各金種の収納量の比率である。例えば、在高比率を３つの金種で算出する場合、制御部１９０は、出金貨幣の金額よりも金額の小さい金種の中で最も金額の大きな第１金種と第１金種よりも金額の小さな第２および第３金種（下位２金種）とを含む３つの金種の収納量を用いて在高比率を計算する。第１から第３の金種のうち或る金種の収納量をその第１から第３の金種の収納量の総和で割り算した結果が在高比率となる。例えば、２０ユーロ紙幣の収納量（在高）が９枚、１０ユーロ紙幣の収納量が１７枚、５ユーロ紙幣の収納量が１５枚であると仮定する。この場合、２０ユーロ紙幣の在高比率は、約２２％（０．２２０≒９／（９＋１７＋１５））となる。１０ユーロ紙幣の在高比率は、約４１．５％（０．４１５≒１７／（９＋１７＋１５））となる。５ユーロ紙幣の在高比率は、約３６．５％（０．３６５≒１５／（９＋１７＋１５））となる。
【００６３】
基準比率は、複数の金種の収納量について予め設定された設定値の総和に対する各金種の設定値の比率である。設定値は、収納部１５０に残値すべき貨幣の収納量であり、第１の実施形態における基準量と同じでもよく、あるいは、釣銭準備金でもよい。基準比率は、各金種の在高比率の目標値であり、メモリ１７０に予め格納されている。例えば、２０ユーロ紙幣の設定値が１０枚、１０ユーロ紙幣の設定値が２０枚、５ユーロ紙幣の設定値が２０枚であると仮定する。この場合、２０ユーロ紙幣の基準比率は、２０％（０．２＝１０／（１０＋２０＋２０））となる。１０ユーロ紙幣の在高比率は、４０％（０．４＝２０／（１０＋２０＋２０））となる。５ユーロ紙幣の在高比率も、４０％（０．４＝２０／（１０＋２０＋２０））となる。
【００６４】
制御部１９０は、各金種の在高比率を基準比率に近づけるように出金貨幣の金種パターンを決定する。
【００６５】
（基準比率に基づく出金）
図８は、各金種に対する設定値および実際の収納量の一例を示す表である。図９は、第２の実施形態に従った基準比率に基づく出金動作を示すフロー図である。
【００６６】
まず、制御部１９０は、出金貨幣の金額よりも金額の小さい金種の中で最も金額の大きな金種を第１金種として選択する（Ｓ３００）。勿論、このとき選択される金種は、出金可能な金種に限定される。ここでは、貨幣精算装置１１は、２０ユーロ紙幣から５セント硬貨までの貨幣を収納しており、それらの貨幣を出金可能に構成されているものとする。例えば、６８ユーロを出金する場合、制御部１９０は、第１金種として２０ユーロ紙幣を選択する。
【００６７】
次に、制御部１９０は、第１金種よりも金額の小さな第２および第３金種（下位２金種）を決定する（Ｓ３１０）。例えば、第１金種が２０ユーロ紙幣である場合、第２および第３金種は、１０ユーロ紙幣および５ユーロ紙幣である。
【００６８】
次に、制御部１９０は、第１から第３の金種の実際の収納量を用いて在高比率を計算する（Ｓ３２０）。例えば、図８に示すように、２０ユーロ紙幣、１０ユーロ紙幣および５ユーロ紙幣の各収納量が９枚、１７枚、および、１５枚である場合、２０ユーロ紙幣、１０ユーロ紙幣および５ユーロ紙幣の在高比率は、上述のように約２２％、約４１．５％、および、約３６．５％となる。
【００６９】
また、２０ユーロ紙幣、１０ユーロ紙幣および５ユーロ紙幣の各設定値は、それぞれ１０、２０および２０である。従って、上述の通り、２０ユーロ紙幣、１０ユーロ紙幣および５ユーロ紙幣の各基準比率は、２０％、４０％および４０％となる。
【００７０】
次に、制御部１９０は、基準比率に対して在高比率が最も大きい金種を優先的に用いて出金すること決定する。即ち、制御部１９０は、各金種の在高比率から各金種の基準比率を減算し（Ｓ３３０）、その減算結果の最も大きい金種を選択し、その金種の貨幣を１枚出金することを決定する（Ｓ３４０）。例えば、制御部１９０は、２０ユーロ紙幣の在高比率（２２％）から２０ユーロ紙幣の基準比率（２０％）を減算する。その減算結果は、２％である。制御部１９０は、１０ユーロ紙幣の在高比率（４１．５％）から１０ユーロ紙幣の基準比率（４０％）を減算する。その減算結果は、１．５％である。制御部１９０は、５ユーロ紙幣の在高比率（３６．５％）から５ユーロ紙幣の基準比率（４０％）を減算する。その減算結果は、−３．５％である。これらの減算結果から、２０ユーロ紙幣の在高比率が他の金種の在高比率よりも、各金種に対応する基準比率を最も大きく上回っていることが分かる。これは、２０ユーロ紙幣の収納量が設定値に対して最も余裕があることを意味する。従って、制御部１９０は、２０ユーロ紙幣を１枚出金することを決定する。尚、ステップＳ３３０における減算結果の大きい金種が複数ある場合、制御部１９０は、金額の大きな金種を選択すればよい。
【００７１】
次に、制御部１９０は、出金貨幣の金額（例えば、６８ユーロ）から、ステップＳ３４０で出金が決定された貨幣の金額（例えば、２０ユーロ）を減算する（Ｓ３５０）。また、制御部１９０は、出金が決定された貨幣の収納量を１枚減算する（Ｓ３６０）。このとき、２０ユーロ紙幣の収納量は、９枚から１枚減算した８枚となる。
【００７２】
次に、制御部１９０は、ステップＳ３５０における減算結果（例えば、４８ユーロ）を出金貨幣の金額に代入して（Ｓ３７０）、ステップＳ３００からＳ３７０を繰り返す。制御部１９０は、ステップ３５０における減算結果がゼロになるまでステップＳ３００からＳ３７０を繰り返す。これにより、貨幣精算装置１１は、基準比率に基づいて決定された金種パターンで構成された貨幣を出金することができる。
【００７３】
図１０は、基準比率に基づく出金動作をさらに詳細に説明する図である。図１０（Ａ）から図１０（Ｊ）は、それぞれ第１から第３金種のそれぞれの基準比率、在高比率および在高比率と基準比率との差（即ち、ステップＳ３３０における減算結果）を示す表である。
【００７４】
図１０（Ａ）に示すように、６８ユーロが出金予定額である。まず、図９に示すステップＳ３００〜Ｓ３６０を１回実行すると、２０ユーロ紙幣、１０ユーロ紙幣および５ユーロ紙幣が第１から第３金種として決定され、それぞれの在高比率と基準比率との差が計算される。図１０（Ａ）に示す例では、在高比率と基準比率との差は、２０ユーロ紙幣および１０ユーロ紙幣において等しい。この場合、制御部１９０は、金額の大きな２０ユーロ紙幣を選択し、２０ユーロ紙幣を１枚出金することを決定する。
【００７５】
次に、ステップＳ３００〜Ｓ３６０を実行するときには、残額は４８ユーロとなり、出金が決定された２０ユーロ紙幣の収納量が１枚減らされる。従って、図１０（Ｂ）に示すように、残額および各金種の在高比率が変化する。この残額および各金種の在高比率を用いて図９に示すステップＳ３００〜Ｓ３６０を再度実行する。これにより、制御部１９０は、在高比率と基準比率との差が最も大きい１０ユーロ紙幣を選択し、１０ユーロ紙幣を１枚出金することを決定する。
【００７６】
次に、ステップＳ３００〜Ｓ３６０を実行するときには、残額は３８ユーロとなり、出金が決定された１０ユーロ紙幣の収納量が１枚減らされる。従って、図１０（Ｃ）に示すように、残額および各金種の在高比率が変化する。この残額および各金種の在高比率を用いて図９に示すステップＳ３００〜Ｓ３６０を再度実行する。これにより、制御部１９０は、在高比率と基準比率との差が最も大きい１０ユーロ紙幣を選択し、１０ユーロ紙幣を１枚出金することを決定する。
【００７７】
次に、ステップＳ３００〜Ｓ３６０を実行するときには、残額は２８ユーロとなり、出金が決定された１０ユーロ紙幣の収納量が１枚減らされる。従って、図１０（Ｄ）に示すように、残額および各金種の在高比率が変化する。この残額および各金種の在高比率を用いて図９に示すステップＳ３００〜Ｓ３６０を再度実行する。これにより、制御部１９０は、在高比率と基準比率との差が最も大きい２０ユーロ紙幣を選択し、２０ユーロ紙幣を１枚出金することを決定する。
【００７８】
次に、ステップＳ３００〜Ｓ３６０を実行するときには、残額は８ユーロとなり、出金が決定された２０ユーロ紙幣の収納量が１枚減らされる。残額が８ユーロとなるので、図１０（Ｅ）に示すように、制御部１９０は、第１から第３金種として５ユーロ紙幣、２ユーロ硬貨および１ユーロ硬貨を選択する。そして、図９に示すステップＳ３００〜Ｓ３６０を再度実行する。これにより、制御部１９０は、在高比率と基準比率との差が大きく、かつ、金額の大きい２ユーロ硬貨を選択し、２ユーロ硬貨を１枚出金することを決定する。
【００７９】
制御部１９０は、残額がゼロになるまで、ステップＳ３００〜Ｓ３６０を繰り返し、出金する貨幣を１枚ずつ決定する（図１０（Ｆ）〜図１０（Ｊ））。これにより、６８ユーロの出金貨幣は、２０ユーロ紙幣２枚、１０ユーロ紙幣２枚、２ユーロ硬貨３枚、１ユーロ硬貨１枚、および、５０セント硬貨２枚で構成される。このように、出金貨幣を構成する金種およびその枚数が決定されると、貨幣精算装置１１は、それに従って貨幣を出金する。
【００８０】
第２の実施形態によれば、制御部１９０は、収納部１５０に収納された各金種の貨幣の在高比率と各金種の基準比率を比較し、在高比率が基準比率に近くなるように、出金貨幣の金種とその枚数を決定する。これにより、貨幣精算装置１１は、各金種の貨幣の在高比率が基準比率から乖離しないように出金貨幣の金種を制御することができる。その結果、貨幣精算装置１１は、各金種の収納量を制御することができ、貨幣の補充回数を抑制することができる。
【００８１】
尚、基準比率は、第１の実施形態における基準量と同様に所定の条件を満たしたときに変更されてもよい。即ち、制御部１９０は、当初、第１の基準比率を用いて出金動作を実行し、その後、所定の条件が成立したときに、第１の基準比率を第２の基準比率に変更して出金動作を実行してもよい。所定の条件は、例えば、或る金種の収納量が図８に示す各金種のニアエンプティの収納量に達した場合が考えられる。
【００８２】
基準比率の変更は、設定値を変更すればよい。例えば、制御部１９０は、各金種のニアエンプティの収納量を設定値として第２の基準比率を算出すればよい。これにより、各金種の収納量がニアエンプティよりも多い場合には、制御部１９０は、第１の基準比率を用いて出金貨幣の金種およびその枚数を決定し、或る金種の収納量がニアエンプティに達した場合には、制御部１９０は、第２の基準比率を用いて出金貨幣の金種およびその枚数を決定する。第１の基準比率および第２の基準比率は、メモリ１７０へ予め格納しておいてもよい。
【００８３】
このように基準比率を可変にすることによって、貨幣精算装置１１は、基準比率を変更しながらニアエンプティまで各金種の収納量を制御することができる。これにより、貨幣精算装置１１は、貨幣の補充回数を低減させることができる。
【００８４】
（第２の実施形態の変形例）
上記第２の実施形態では、ステップＳ３００〜Ｓ３６０を繰り返し、出金する貨幣を１枚ずつ決定している。しかし、本変形例では、制御部１９０は、出金貨幣の金種の組み合わせを示す複数の金種パターンを準備し、各金種パターンで出金したと仮定した場合の出金後における各金種の在高比率と基準比率を比較し、在高比率が基準比率に最も近くなるように金種パターンを選択する。
【００８５】
図１１は、第２の実施形態の変形例に従った複数の出金パターンの一例を示す表である。図１２は、第２の実施形態の変形例に従った基準比率に基づく出金動作を示すフロー図である。
【００８６】
例えば、６８ユーロを出金する場合、制御部１９０は、６８ユーロを構成する様々な金種パターンを準備する（Ｓ４００）。図１１に示す金種パターンＰ１〜Ｐ６は、いずれも総額６８ユーロの貨幣を構成する。ここで、図１１に示す金種パターンＰ１〜Ｐ６は、第１から第３金種のいずれかを含むように想定された金種パターンである。金種パターンＰ１が最小構成枚数で構成されたパターンである。制御部１９０は、この他にも様々な金種パターンを準備してよい。
【００８７】
次に、制御部１９０は、準備された全金種パターンについて在高比率を算出する（Ｓ４１０）。例えば、金種パターンＰ１で出金した場合を想定し、制御部１９０は、５０ユーロ紙幣、１０ユーロ紙幣、５ユーロ紙幣、２ユーロ硬貨および１ユーロ硬貨の各収納量を１枚ずつ減算し、減算後の各金種の収納量を用いて在高比率を算出する。このとき、在高比率は、５０ユーロ紙幣から１ユーロ硬貨までの全金種の収納量に対する各金種の収納量の比率であってもよい。この場合、基準比率も、５０ユーロ紙幣から１ユーロ硬貨までの全金種の設定値に対する各金種の設定値の比率となる。制御部１９０は、金種パターンＰ２〜Ｐ６についても、同様に在高比率を計算する。
【００８８】
次に、制御部１９０は、各金種パターンのそれぞれについて、各金種の在高比率から各金種の基準比率を減算する（Ｓ４２０）。例えば、金種パターンＰ１について、各金種の在高比率から各金種の基準比率を減算する。金種パターンＰ２〜Ｐ６についても、同様に、各金種の在高比率から各金種の基準比率を減算する。
【００８９】
次に、制御部１９０は、ステップＳ４２０における各金種の減算結果の絶対値を加算する（Ｓ４３０）。即ち、制御部１９０は、各金種パターンＰ１〜Ｐ６のそれぞれについて、各金種の在高比率と各金種の基準比率との差を評価する。具体的には、制御部１９０は、各金種パターンＰ１〜Ｐ６のそれぞれについて、各金種の在高比率と各金種の基準比率との差の絶対値を加算する。制御部１９０は、各金種パターンＰ１〜Ｐ６のそれぞれについて、各金種の在高比率と各金種の基準比率との差の二乗を加算してもよい。その加算結果が最も小さい場合に、出金後の在高比率が基準比率に最も近くなるということができる。従って、制御部１９０は、ステップ４３０において算出された金種パターンＰ１〜Ｐ６の加算結果を比較し、その加算結果の最も小さい金種パターンを選択する。制御部１９０は、選択された金種パターンに基づいて、貨幣の金種とその枚数を決定する（Ｓ４４０）。
【００９０】
この変形例のように、制御部１９０は、複数の金種パターンを準備し、在高比率が基準比率に最も近くなる金種パターンを選択し、該選択された金種パターンに基づいて出金する金種とその枚数を決定してもよい。本変形例も、貨幣精算装置１１は、各金種の貨幣の在高比率が基準比率から乖離しないように出金貨幣の金種を制御することができる。その結果、本変形例も第２の実施形態と同様の効果を得ることができる。
【００９１】
（第３の実施形態）
第３の実施形態では、制御部１９０は、まず、基準量を用いて出金貨幣の金種とその枚数を決定し、貨幣の収納量が所定の条件を満たした後、基準比率を用いて出金貨幣の金種とその枚数を決定する。即ち、第３の実施形態は、第１の実施形態と第２の実施形態との組み合わせである。この場合、メモリ１７０は、基準量および基準比率の両方を予め格納している。
【００９２】
図１３は、第３の実施形態に従った出金動作を示すフロー図である。例えば、図６（Ａ）から図６（Ｃ）に示すように、第１の実施形態による最小構成枚数による出金動作（図４）および基準量に基づく出金動作（図５）を実行する。即ち、図７に示すステップＳ２００からＳ２１０が実行される。
【００９３】
次に、収納部１５０の貨幣の収納量が上記所定の条件を満たした場合に、基準比率に基づく出金動作（図９または図１２）を実行する（Ｓ５００）。
【００９４】
このように、第１の実施形態と第２の実施形態とを組み合わせることもできる。これにより、第３の実施形態は、第１または第２の実施形態と同様の効果を得ることができる。
【００９５】
上述の実施形態に限らず、最小構成枚数による出金動作、基準量に基づく出金動作および基準比率に基づく出金動作は任意に組み合わせてよい。
【符号の説明】
【００９６】
１・・・貨幣管理システム、１０・・・チェックアウトカウンター、１５・・・ＰＯＳレジスタ、２０・・・バックオフィス、１１・・・貨幣精算装置、２１・・・貨幣出納装置、２５・・・貨幣管理装置、２６・・・ＰＯＳ管理装置、１１０・・・入金部  １２０・・・出金部、１３０・・・搬送部、１４０・・・識別部、１５０・・・収納部、１７０・・・メモリ、１８０・・・通信部、１９０・・・制御部
【図１】
2013011959.tif 000003
【図２】
2013011959.tif 000004
【図３】
2013011959.tif 000005
【図４】
2013011959.tif 000006
【図５】
2013011959.tif 000007
【図６】
2013011959.tif 000008
【図７】
2013011959.tif 000009
【図８】
2013011959.tif 000010
【図９】
2013011959.tif 000011
【図１０】
2013011959.tif 000012
【図１１】
2013011959.tif 000013
【図１２】
2013011959.tif 000014
【図１３】
2013011959.tif 000015